(57)【要約】【課題】レギンスやスパッツを着用しているように見せることのできるタイツを提供する。【解決手段】ウエスト部１１からパンティ部１２とレッグ部１３とを介してフット部１４までが一体に製編されて着用者のウエストから下肢全域を包被する伸縮性のあるタイツ１０Ａにおいて、タイツ１０Ａが、第１の色に着色されてウエスト部１１からレッグ部１３における所定の第１位置１３ａまでの第１染色部分１５と、第１の色と異なる第２の色に着色されてレッグ部１３における第１位置１３ａからフット部１４までの第２染色部分１６とを有し、第１の色が黒色であって第２の色がベージュ色であるように、第１の色の濃度が第２の色のそれよりも濃い。【選択図】図１
2011157677.tif 000002
【特許請求の範囲】
【請求項１】
ウエスト部からパンティ部とレッグ部とを介してフット部までが一体に製編されて着用者のウエストから下肢全域を包被する伸縮性の着用物品において、
前記着用物品が、第１の色に着色され、前記ウエスト部から前記レッグ部の所定の第１位置までの第１染色域と、前記第１の色と異なる第２の色に着色され、前記レッグ部の第１位置から前記フット部までの第２染色域とを有し、前記第１の色の濃度が、前記第２の色のそれよりも濃いことを特徴とする着用物品。
【請求項２】
前記第１染色域が、前記第１の色に予め染色された先染め糸で製編され、前記第２染色域が、無着色の糸で製編され、前記無着色の糸で製編された第２染色域が、前記ウエスト部から前記フット部まで一体に形成された後に前記第２の色の染料に浸けることにより着色されている請求項１に記載の着用物品。
【請求項３】
前記第１染色域を製編している糸の太さが、７０〜９０デニールの範囲にあり、前記第２染色域を製編している糸の太さが、２０〜４０デニールの範囲にある請求項１または請求項２に記載の着用物品。
【請求項４】
前記ウエスト部と前記パンティ部とにおける第１染色域を製編している糸の太さが、７０〜９０デニールの範囲、前記第２染色域を製編している糸の太さが、２０〜４０デニールの範囲にあり、前記レッグ部における第１染色域が、７０〜９０デニールの範囲の太さの糸で製編された高デニール部分と、３０〜５０デニールの範囲の太さの糸で製編された低デニール部分とを有する請求項１または請求項２に記載の着用物品。
【請求項５】
ウエスト部からパンティ部とレッグ部とを介してフット部までが一体に製編されて着用者のウエストから下肢全域を包被する伸縮性の着用物品において、
前記着用物品が、第１の色に着色され、前記ウエスト部から前記レッグ部の所定の第１位置までの第１染色域と、前記第１の色と異なる第２の色に着色され、前記レッグ部の第１位置から前記フット部までの第２染色域と、前記フット部に形成されて前記第２の色と異なる第３の色に着色された第３染色域とを有し、前記第１および第３の色の濃度が、前記第２の色のそれよりも濃いことを特徴とする着用物品。
【請求項６】
前記第１および第３染色域が、前記第１および第３の色に予め染色された先染め糸で製編され、前記第２染色域が、無着色の糸で製編され、前記無着色の糸で製編された第２染色域が、前記ウエスト部から前記フット部まで一体に形成された後に前記第２の色の染料に浸けることにより着色されている請求項５に記載の着用物品。
【請求項７】
前記第１染色域を製編している糸の太さが、７０〜９０デニールの範囲、前記第２染色域を製編している糸の太さが、２０〜４０デニールの範囲、前記第３染色域を製編している糸の太さが、５０〜９０デニールの範囲にある請求項５または請求項６に記載の着用物品。
【請求項８】
前記ウエスト部と前記パンティ部とにおける第１染色域を製編している糸の太さが、７０〜９０デニールの範囲、前記第２染色域を製編している糸の太さが、２０〜４０デニールの範囲、前記第３染色域を製編している糸の太さが、５０〜９０デニールの範囲にあり、前記レッグ部における第１染色域が、７０〜９０デニールの範囲の太さの糸で製編された高デニール部分と、３０〜５０デニールの範囲の太さの糸で製編された低デニール部分とを有する請求項５または請求項６に記載の着用物品。
【請求項９】
ウエスト部からパンティ部とレッグ部とを介してフット部までが一体に製編されて着用者のウエストから下肢全域を包被する伸縮性の着用物品において、
前記着用物品が、第１の色に着色され、前記レッグ部の所定の第２位置から前記フット部までの第４染色域と、前記第１の色と異なる第２の色に着色され、前記ウエスト部から前記レッグ部の第２位置までの第５染色域とを有し、前記第１の色の濃度が、前記第２の色のそれより濃いことを特徴とする着用物品。
【請求項１０】
前記第４染色域が、前記第１の色に予め染色された先染め糸で製編され、前記第５染色域が、無着色の糸で製編され、前記無着色の糸で製編された第５染色域が、前記ウエスト部から前記フット部まで一体に形成された後に前記第２の色の染料に浸けることにより着色されている請求項９に記載の着用物品。
【請求項１１】
前記第４染色域を製編している糸の太さが、７０〜９０デニールの範囲にあり、前記第５染色域を製編している糸の太さが、２０〜５０デニールの範囲にある請求項９または１０に記載の着用物品。
【請求項１２】
前記第５染色域における前記パンティ部が、４０〜５０デニールの太さの糸で製編され、前記パンティ部を除く前記第２位置までの第５染色域が、前記パンティ部を製編している糸の太さより細い２０〜３９デニールの太さの糸によって製編されている請求項１１に記載の着用物品。
【請求項１３】
ウエスト部からパンティ部とレッグ部とを介してフット部までが一体に製編されて着用者のウエストから下肢全域を包被する伸縮性の着用物品において、
前記着用物品が、第２の色に着色され、前記レッグ部の前記フット部の側の所定の第１位置から前記フット部までの第６染色域と、前記第２の色に着色され、前記ウエスト部から前記レッグ部の所定の第２位置までの第７染色域と、前記第２の色と異なる第１の色に着色され、前記レッグ部の前記第１位置から前記第２位置までの間の第８染色域とを有し、前記第１の色の濃度が、前記第２の色のそれより濃いことを特徴とする着用物品。
【請求項１４】
前記第８染色域が、前記第１の色に予め染色された先染め糸で製編され、前記第６染色域および前記第７染色域が、無着色の糸で製編され、前記無着色の糸で製編された第６染色域および第７染色域が、前記ウエスト部から前記フット部まで一体に形成された後に前記第２の色の染料に浸けることにより着色されている請求項１３に記載の着用物品。
【請求項１５】
前記第８染色域を製編している糸の太さが、７０〜９０デニールの範囲にあり、前記第６染色域および前記第７染色域を製編している糸の太さが、２０〜４０デニールの範囲にある請求項１３または１４に記載の着用物品。
【請求項１６】
前記第７染色域における前記パンティ部が、４０〜５０デニールの太さの糸で製編され、前記パンティ部を除く前記第２位置までの第７染色域が、前記パンティ部を製編している糸の太さより細い２０〜３９デニールの太さの糸によって製編されている請求項１５に記載の着用物品。
【請求項１７】
前記第２の色が、ベージュ色であり、前記第１の色が、前記ベージュ色より濃い色である請求項１ないし請求項１６いずれかに記載の着用物品。
【発明の詳細な説明】
【技術分野】
【０００１】
本発明は、ウエスト部からパンティ部とレッグ部とを介してフット部までが一体に製編された着用物品に関し、さらに詳細には、編みが細かく薄手のパンティストッキング等を含んだタイツのような伸縮性のある着用物品に関する。
【背景技術】
【０００２】
タイツは、ニット編地などの伸縮性を持たせた生地で縫製されたフィット性の高いズボン類であり、他方、パンティストッキングは、ナイロン糸とポリウレタン糸を主な材料として使い、タイツより編み目が細かく薄手のものである点で、タイツと区別されているが、両者とも着用者のつま先まで覆っている。これに対し、スパッツは、タイツの足先部分即ちフット部がない形状をしたものであり、欧米ではカルソンまたはレギンス等とも呼ばれている。
【０００３】
この明細書では、このようなタイツおよびパンティストッキングを含む意味として、以下、着用物品と称する。ところで、スパッツやレギンスは、一般的には色や柄が付いているものであり、若い女性を中心に非常に好まれて着用されている。しかし、スパッツやレギンスは、パンティ部からレッグ部（脚部）の脛(スネ)部までで、前述したようにフット部が無い。従って、スパッツやレギンスを着用した場合、レッグ部における脛部の一部からフット部全体までが素肌になる。そのため、直接肌を出すことに抵抗のある人などは、スパッツの下にパンティストッキングあるいはストッキングを着用する人もいる。また、このように部分的に素肌になるスパッツやレギンスを冬季に着用すると、素肌の部分が寒く、そのため防寒の点から、スパッツやレギンスの下にパンティストッキングあるいはストッキングを着用する人もいる。
【０００４】
さらに、部分的に素肌になる場合としては、オーバーニーレングスソックスやハイソックス、或いはレッグウォーマーなどを着用するときである。例えば、オーバーニーレングスソックスは、その丈が膝よりやや上まであるので、太ももは素肌のままとなる。そのため、このようなオーバーニーレングスソックスを着用する場合にも、直接肌を出すことに抵抗のある人や冬季の着用時に寒さを避けたい人などはパンティストッキングを着用した上にオーバーニーレングスソックスを着用している。
【０００５】
しかしながら、パンティストッキングあるいはストッキングを着用した上にスパッツやレギンス、またはオーバーニーレングスソックスやハイソックスなどを重ね着すると、二重に着用した部分の厚さが厚くなるため軽装感がなくなって身体を動かしづらいという問題があり、また、着用中に気温が高くなると、厚着をしているのと同じであるため汗をかき、不快に感じることさえある、という問題があった。
【０００６】
ところで、パンティストッキング、ストッキング、厚手のタイツなどに関する従来の技術として、特許文献１に開示された考案が知られている。この特許文献１に開示された考案は、パンティストッキング、ストッキング、厚手のタイツを含むタイツ類に関するもので、レッグ部の膝上からフット部の爪先までの範囲で、その一部を他の部分と異なる柄や編み地にしたものである。具体的に特許文献１に開示された考案では、ストッキングやパンティストッキングなどのタイツ類において、レッグ部の膝上からフット部の爪先までの範囲で、少なくともふくらはぎ下部から足首にわたる部分に部分的に柄編み部分並びに生地の厚みに変化を設け、この柄編み部分以外は無地編み部分としたものである。
【先行技術文献】
【特許文献】
【０００７】
【特許文献１】実用新案登録第３０４４０７１号公報
【発明の概要】
【発明が解決しようとする課題】
【０００８】
前述した特許文献１に開示のタイツ類を着用すれば、素肌になる部分は無いが、素足にスパッツやレギンスを着用しているようにはとても見えないし、またオーバーニーレングスソックスを着用しているようにも見えない。なぜならば、特許文献１に開示された考案のタイツ類は、従来、ソックスの丈が、足先から膝下までまたは膝上までであるため、足の運動やくつとソックスの摩擦などによりソックスがずり落ちやすい、という問題があり、この問題を解決するためにパンティストッキングやストッキングなどにおける少なくともふくらはぎ下部から足首にわたる部分に部分的に柄編み部分を設け、この柄編み部分以外は無地編みとすることにより、一見するとソックスを着用しているかのように見せるために創作されたものであるからである。
【０００９】
従って、特許文献１に開示のタイツ類では、ウエスト部からフット部の爪先部まであるタイツやパンティストッキングなどを着用しながらも、素足にレギンスやスパッツ、あるいはオーバーニーレングスソックスやレッグウォーマーを着用しているように見せることはできない。
【００１０】
本発明の目的は、かかる従来の問題点を解決するためになされたものであり、ウエスト部からフット部の爪先まであるタイツやパンティストッキングなどを着用しているにもかかわらず、素足にレギンスやスパッツを着用しているように見せることができ、あるいはオーバーニーレングスソックスやハイソックス、レッグウォーマーなどを着用しているように見せることのできる着用物品を提供することにある。
【課題を解決するための手段】
【００１１】
前記課題を解決するための第１の発明は、ウエスト部からパンティ部とレッグ部とを介してフット部までが一体に製編されて着用者のウエストから下肢全域を包被する伸縮性の着用物品であり、その特徴とするところは、着用物品が、第１の色に着色され、ウエスト部からレッグ部の所定の第１位置までの第１染色域と、第１の色と異なる第２の色に着色され、レッグ部の第１位置からフット部までの第２染色域とを有し、第１の色の濃度が第２の色のそれよりも濃いことにある。
【００１２】
第１の発明に係る着用物品の一実施態様としては、第１染色域が第１の色に予め染色された先染め糸で製編され、第２染色域が無着色の糸で製編され、無着色の糸で製編された第２染色域がウエスト部からフット部まで一体に形成された後に第２の色の染料に浸けることにより着色されている。
【００１３】
第１の発明に係る着用物品の他の一実施態様としては、第１染色域を製編している糸の太さが７０〜９０デニールの範囲にあり、第２染色域を製編している糸の太さが２０〜４０デニールの範囲にある。
【００１４】
第１の発明に係る着用物品の他の一実施態様としては、ウエスト部とパンティ部とにおける第１染色域を製編している糸の太さが７０〜９０デニールの範囲、第２染色域を製編している糸の太さが２０〜４０デニールの範囲にあり、レッグ部における第１染色域が、７０〜９０デニールの範囲の太さの糸で製編された高デニール部分と、３０〜５０デニールの範囲の太さの糸で製編された低デニール部分とを有する。
【００１５】
前記課題を解決するための第２の発明は、ウエスト部からパンティ部とレッグ部とを介してフット部までが一体に製編されて着用者のウエストから下肢全域を包被する伸縮性の着用物品であり、その特徴とするところは、着用物品が、第１の色に着色され、ウエスト部からレッグ部の所定の第１位置までの第１染色域と、第１の色と異なる第２の色に着色され、レッグ部の第１位置からフット部までの第２染色域と、フット部に形成されて第２の色と異なる第３の色に着色された第３染色域とを有し、第１および第３の色の濃度が第２の色のそれよりも濃いことにある。
【００１６】
第２の発明に係る着用物品の一実施態様としては、第１および第３染色域が第１および第３の色に予め染色された先染め糸で製編され、第２染色域が無着色の糸で製編され、無着色の糸で製編された第２染色域がウエスト部からフット部まで一体に形成された後に第２の色の染料に浸けることにより着色されている。
【００１７】
第２の発明に係る着用物品の他の一実施態様としては、第１染色域を製編している糸の太さが７０〜９０デニールの範囲、第２染色域を製編している糸の太さが２０〜４０デニールの範囲、第３染色域を製編している糸の太さが５０〜９０デニールの範囲にある。
【００１８】
第２の発明に係る着用物品の一実施態様としては、ウエスト部とパンティ部とにおける第１染色域を製編している糸の太さが７０〜９０デニールの範囲、第２染色域を製編している糸の太さが２０〜４０デニールの範囲、第３染色域を製編している糸の太さが５０〜９０デニールの範囲にあり、レッグ部における第１染色域が、７０〜９０デニールの範囲の太さの糸で製編された高デニール部分と、３０〜５０デニールの範囲の太さの糸で製編された低デニール部分とを有する。
【００１９】
前記課題を解決するための第３の発明は、ウエスト部からパンティ部とレッグ部とを介してフット部までが一体に製編されて着用者のウエストから下肢全域を包被する伸縮性の着用物品であり、その特徴とするところは、着用物品が、第１の色に着色され、レッグ部の所定の第２位置からフット部までの第４染色域と、第１の色と異なる第２の色に着色され、ウエスト部からレッグ部の第２位置までの第５染色域とを有し、第１の色の濃度が第２の色のそれより濃いことにある。
【００２０】
第３の発明に係る着用物品の一実施態様としては、第４染色域が第１の色に予め染色された先染め糸で製編され、第５染色域が無着色の糸で製編され、無着色の糸で製編された第５染色域がウエスト部からフット部まで一体に形成された後に第２の色の染料に浸けることにより着色されている。
【００２１】
第３の発明に係る着用物品の他の一実施態様としては、第４染色域を製編している糸の太さが７０〜９０デニールの範囲にあり、第５染色域を製編している糸の太さが２０〜５０デニールの範囲にある。
【００２２】
第３の発明に係る着用物品の他の一実施態様としては、第５染色域におけるパンティ部が４０〜５０デニールの太さの糸で製編され、パンティ部を除く第２位置までの第４染色域がパンティ部を製編している糸の太さより細い２０〜３９デニールの太さの糸によって製編されている。
【００２３】
前記課題を解決するための第４の発明は、ウエスト部からパンティ部とレッグ部とを介してフット部までが一体に製編されて着用者のウエストから下肢全域を包被する伸縮性の着用物品であり、その特徴とするところは、着用物品が、第２の色に着色され、レッグ部のフット部の側の所定の第１位置からフット部までの第６染色域と、第２の色に着色され、ウエスト部からレッグ部の所定の第２位置までの第７染色域と、第２の色と異なる第１の色に着色され、レッグ部の第１位置から第２位置までの間の第８染色域とを有し、第１の色の濃度が第２の色のそれより濃いことにある。
【００２４】
第４の発明に係る着用物品の一実施態様としては、第８染色域が第１の色に予め染色された先染め糸で製編され、第６染色域および第７染色域が無着色の糸で製編され、無着色の糸で製編された第６染色域および第７染色域がウエスト部からフット部まで一体に形成された後に前記第２の色の染料に浸けることにより着色されている。
【００２５】
第４の発明に係る着用物品の他の一実施態様としては、第８染色域を製編している糸の太さが７０〜９０デニールの範囲にあり、第６染色域および第７染色域を製編している糸の太さが２０〜４０デニールの範囲にある。
【００２６】
第４の発明に係る着用物品の他の一実施態様としては、第７染色域におけるパンティ部が４０〜５０デニールの太さの糸で製編され、パンティ部を除く第２位置までの第７染色域がパンティ部を製編している糸の太さより細い２０〜３９デニールの太さの糸によって製編されている。
【００２７】
第１〜第４の発明に係る着用物品の一実施態様としては、第２の色がベージュ色であり、第１の色がベージュ色より濃い色である。
【発明の効果】
【００２８】
第１の発明にかかる着用物品によれば、ウエスト部からレッグ部の第１位置までの第１染色域が第１の色に着色され、それ以外の部分、即ちレッグ部の第１位置よりフット部全体までの第２染色域が第１の色と異なる第２の色に着色され、第１の色の濃度が第２の色のそれよりも濃いから、例えば、第２の色を肌色であるベージュ色若しくはそれに近い色にし、第１の色を黒色またはそれに近い色にすることにより、レッグ部の第１位置からフット部全体までを素肌が露出しているように見せることができる。この着用物品は、スパッツやレギンスを着用しているように見えることから、素肌を直接露出させたくない着用者にもスパッツやレギンス感覚で着用することができる。
【００２９】
第１染色域が第１の色に予め染色された先染め糸で製編され、第２染色域が無着色の糸で製編され、第２染色域がウエスト部からフット部まで一体に形成された後に第２の色の染料に浸けることにより着色されている着用物品は、着用物品において第２染色域を容易に作ることができるから、着用物品を短時間に大量に生産することができるとともに、着用物品を廉価に生産することができる。
【００３０】
第１染色域を製編している糸の太さが７０〜９０デニールの範囲、第２染色域を製編している糸の太さが２０〜４０デニールの範囲にある着用物品は、第２染色域の生地が薄く形成されるから、第２染色域をベージュ色のような淡い色にすることにより、着用書の肌が第２染色域において透きとおって見え、タイツを着用しているにもかかわらず、レギンスやスパッツを着用しているように見せることができる。
【００３１】
ウエスト部とパンティ部とにおける第１染色域を製編している糸の太さが７０〜９０デニールの範囲、第２染色域を製編している糸の太さが２０〜４０デニールの範囲にあり、レッグ部における第１染色域が７０〜９０デニールの範囲の太さの糸で製編された高デニール部分と３０〜５０デニールの範囲の太さの糸で製編された低デニール部分とを有する着用物品は、第２染色域の生地が薄く形成されるから、着用書の肌が第２染色域において透きとおって見え、第２染色域をベージュ色のような淡い色にすることにより、タイツを着用しているにもかかわらず、レギンスやスパッツを着用しているように見せることができる。この着用物品は、レッグ部における第１染色域が高デニール部分と低デニール部分とを有するから、レッグ部において外見の変化を付けることができ、ファッション性に富み、見端の優れたレギンスやスパッツを着用しているように見せることができる。
【００３２】
第２の発明にかかる着用物品によれば、ウエスト部からレッグ部の第１位置までの第１染色域が第１の色に着色され、それ以外の部分、即ちレッグ部の第１位置よりフット部全体までの第２染色域が第１の色と異なる第２の色に着色され、第１の色の濃度が第２の色のそれよりも濃いから、例えば、第２の色を肌色であるベージュ色若しくはそれに近い色にし、第１の色を黒色またはそれに近い色にすることにより、レッグ部の第１位置からフット部全体までを素肌が露出しているように見せることができる。この着用物品は、スパッツやレギンスを着用しているように見えることから、素肌を直接露出させたくない着用者にもスパッツやレギンス感覚で着用することができる。この着用物品は、第２の色と異なる第３の色に着色された第３染色域がフット部に形成され、第３の色の濃度が第２の色のそれよりも濃いから、フット部において履物を履いているように見せることができ、履物を履いたレギンスやスパッツを着用しているように見せることができる。
【００３３】
第１および第３染色域が記第１および第３の色に予め染色された先染め糸で製編され、第２染色域が無着色の糸で製編され、第２染色域がウエスト部からフット部まで一体に形成された後に第２の色の染料に浸けることにより着色されている着用物品は、着用物品において第２染色域を容易に作ることができるから、着用物品を短時間に大量に生産することができるとともに、着用物品を廉価に生産することができる。
【００３４】
第１染色域を製編している糸の太さが７０〜９０デニールの範囲、第２染色域を製編している糸の太さが２０〜４０デニールの範囲、第３染色域を製編している糸の太さが５０〜９０デニールの範囲にある着用物品は、第２染色域の生地が薄く形成されるから、第２染色域をベージュ色のような淡い色にすることにより、着用書の肌が第２染色域において透きとおって見え、タイツを着用しているにもかかわらず、レギンスやスパッツを着用しているように見せることができる。この着用物品は、第３染色域が第２染色域よりも生地が厚く形成されるから、フット部において履物を履いているように見せることができ、履物を履いたレギンスやスパッツを着用しているように見せることができる。
【００３５】
ウエスト部とパンティ部とにおける第１染色域を製編している糸の太さが７０〜９０デニールの範囲、第２染色域を製編している糸の太さが２０〜４０デニールの範囲、第３染色域を製編している糸の太さが５０〜９０デニールの範囲にあり、レッグ部における第１染色域が７０〜９０デニールの範囲の太さの糸で製編された高デニール部分と３０〜５０デニールの範囲の太さの糸で製編された低デニール部分とを有する着用物品は、第２染色域の生地が薄く形成されるから、着用書の肌が第２染色域において透きとおって見え、第２染色域をベージュ色のような淡い色にすることにより、タイツを着用しているにもかかわらず、レギンスやスパッツを着用しているように見せることができる。着用物品は、第３染色域が第２染色域よりも厚く形成されるから、フット部において履物を履いているように見せることができ、履物を履いたレギンスやスパッツを着用しているように見せることができる。この着用物品は、レッグ部における第１染色域が高デニール部分と低デニール部分とを有するから、レッグ部において外見の変化を付けることができ、ファッション性に富み、見端の優れたレギンスやスパッツを着用しているように見せることができる。
【００３６】
第３の発明にかかる着用物品によれば、レッグ部における所定の第２位置よりフット部までの第４染色域が第１の色に着色され、それ以外、即ちレッグ部の第２位置よりウエスト部までの第５染色域が第１の色と異なる第２の色に着色され、第１の色の濃度が第２の色のそれより濃いから、例えば、第２の色を肌色であるベージュ色若しくはそれに近い色にし、第１の色を黒色またはそれに近い色にすることにより、レッグ部の第２位置よりウエスト部までを素肌が露出しているように見せることができる。この着用物品は、素肌を直接露出させることなくあたかも素足にオーバーニーレングスソックスやハイソックスを着用しているかのように見せることができることから、素肌を直接露出させたくない着用者にもオーバーニーレングスソックスやハイソックスなどを軽装感覚で着用することができる。
【００３７】
第４染色域が第１の色に予め染色された先染め糸で製編され、第５染色域が無着色の糸で製編され、第５染色域がウエスト部からフット部まで一体に形成された後に第２の色の染料に浸けることにより着色されている着用物品は、着用物品において第５染色域を容易に作ることができるから、着用物品を短時間に大量に生産することができるとともに、着用物品を廉価に生産することができる。
【００３８】
第４染色域を製編している糸の太さが７０〜９０デニールの範囲にあり、第５染色域を製編している糸の太さが２０〜５０デニールの範囲にある着用物品は、第５染色域の生地が薄く形成されるから、第５染色域をベージュ色のような淡い色にすることにより、着用書の肌が第５染色域において透きとおって見え、タイツを着用しているにもかかわらず、素足にオーバーニーレングスソックスやハイソックスを着用しているように見せることができる。
【００３９】
第５染色域におけるパンティ部が４０〜５０デニールの太さの糸で製編され、パンティ部を除く第２位置までの第５染色域がパンティ部を製編している糸の太さより細い２０〜３９デニールの太さの糸によって製編されている着用物品は、第５染色域においてパンティ部が４０〜５０デニールの太さの糸で製編されているから、着用者の腰部分やヒップ部分が他の部分よりも強めに締め付けられ、着用感が非常に高くなり、着用物品の不用意なずれ下がりを防ぐことができるとともに、着用者の腰部分やヒップ部分の冷えを防止することができる。
【００４０】
第４の発明にかかる着用物品によれば、第１位置からフット部までの第６染色域とウエスト部からレッグ部の第２位置までの第７染色域とが第２の色に着色され、それ以外、即ちレッグ部の第１位置から第２位置までの間の第８染色域が第２の色と異なる第１の色に着色され、第１の色の濃度が第２の色のそれよりも濃いから、例えば、第２の色を肌色であるベージュ色若しくはそれに近い色にし、第１の色を黒色またはそれに近い色にすることにより、ウエスト部からレッグ部の第２位置までの第７染色域およびレッグ部の第１位置からフット部までの第６染色域とを素肌が露出しているように見せることができる。この着用物品は、素肌を直接露出させることなくあたかも素足にレッグウォーマーを着用しているかのように見せることができることから、素肌を直接露出させたくない着用者にもレッグウォーマーを軽装感覚で着用することができる。
【００４１】
第８染色域が第１の色に予め染色された先染め糸で製編され、第６染色域および第７染色域が無着色の糸で製編され、第６染色域および第７染色域がウエスト部からフット部まで一体に形成された後に第２の色の染料に浸けることにより着色されている着用物品は、着用物品において第６染色域や第７染色域を容易に作ることができるから、かかる着用物品を短時間に大量に生産することができるとともに、着用物品を廉価に生産することができる。
【００４２】
第８染色域を製編している糸の太さが７０〜９０デニールの範囲にあり、第６染色域および第７染色域を製編している糸の太さが２０〜４０デニールの範囲にある着用物品は、第６染色域および第７染色域の生地が薄く形成されるから、第６染色域および第７染色域をベージュ色のような淡い色にすることにより、着用書の肌が第６染色域および第７染色域において透きとおって見え、タイツを着用しているにもかかわらず、素足にレッグウォーマーを着用しているように見せることができる。
【００４３】
第７染色域におけるパンティ部が４０〜５０デニールの太さの糸で製編され、パンティ部を除く第２位置までの第７染色域がパンティ部を製編している糸の太さより細い２０〜３９デニールの太さの糸によって製編されている着用物品は、第７染色域においてパンティ部が４０〜５０デニールの太さの糸で製編されているから、着用者の腰部分やヒップ部分が他の部分よりも強めに締め付けられ、着用感が非常に高くなり、着用物品の不用意なずれ下がりを防ぐことができるとともに、着用者の腰部分やヒップ部分の冷えを防止することができる。
【００４４】
第１〜第４の発明に係る着用物品によれば、第２の色がベージュ色であり、第１の色がベージュ色より濃い色であるから、タイツを着用しているにもかかわらずスパッツやレギンスを着用しているように見せることができ、あるいは、素足にオーバーニーレングスソックスを着用しているように見せることができ、または、レッグウォーマーを着用しているように見せることができることから、素肌を直接露出させたくない着用者にも、スパッツやレギンス感覚、オーバーニーレングスソックス感覚、レッグウォーマー感覚で着用することができる。
【図面の簡単な説明】
【００４５】
【図１】第１実施形態の一例を示すタイツ（着用物品）の側面図。
【図２】タイツを製造する際に半製品の一部を染めている状態を示す概略構成説明図。
【図３】第２実施形態の一例を示すタイツ（着用物品）の平面図。
【図４】着用状態で示す図３のタイツ（着用物品）の斜視図。
【図５】第２実施形態の他の一例を示すタイツ（着用物品）の平面図。
【図６】第２実施形態の他の一例を示すタイツ（着用物品）の平面図。
【図７】第３実施形態の一例を示すタイツ（着用物品）の平面図。
【図８】第３実施形態の他の一例を示すタイツ（着用物品）の平面図。
【図９】第３実施形態の他の一例を示すタイツ（着用物品）の平面図。
【図１０】第４実施形態の一例を示すタイツ（着用物品）の平面図。
【図１１】第５実施形態の一例を示すタイツ（着用物品）の側面図。
【図１２】第６実施形態の一例を示すタイツ（着用物品）の側面図。
【発明を実施するための形態】
【００４６】
以下、添付の図面を参照しつつ、タイツを例として本発明の着用物品の詳細を説明する。なお、図１は、第１実施形態の一例を示すタイツ１０Ａ（着用物品）の側面図であり、図２は、タイツ１０Ａを製造する際に半製品の一部を染めている状態を示す概略構成説明図である。図１に示すタイツ１０Ａは、請求項１に記載された第１の発明に対応する実施形態である。
【００４７】
タイツ１０Ａは、着用者がそれを着用したときの、着用者の腰部分を包被するウエスト部１１と、着用者のヒップ部分を包被するパンティ部１２と、着用者の脚部分を包被するレッグ部１３と、着用者のフット部分を包被するフット部１４とを有する。タイツ１０Ａは、伸縮性を有し、ウエスト部１１からパンティ部１２とレッグ部１３とを介してフット部１４までが一体に製編され、着用者のウエストから下肢全域を包被する。ここで、製編とは、編み立てることを意味する。
【００４８】
タイツ１０Ａは、ウエスト部１１からレッグ部１３における所定の第１位置１３ａまでの第１染色域１５と、レッグ部１３における第１位置１３ａからフット部１４までの第２染色域１６とを有する。第１実施形態に係るタイツ１０Ａの第１位置１３ａは、フット部１４より僅かに膝側に位置し、ふくらはぎより下、即ちフット部１４寄りに位置している。なお、第１位置１３ａが第１実施形態によって限定されるものではなく、第１位置１３ａが少なくとも着用者の膝からくるぶしまでの間に位置すればよい（図３〜図１０に示すタイツも同様）。
【００４９】
第１染色域１５は第１の色に着色され、第２染色域１６は第１の色と異なる第２の色に着色されている。第１の色と第２の色とは濃度に差があり、第１の色の濃度が第２の色のそれよりも濃い。第１実施形態に係るタイツ１０Ａでは、第１染色域１５が黒色に染色され、第２染色域１６がベージュ色、即ち肌色に染色されている。この濃度差は、大きければ大きいほど好ましい。第１実施形態では、第１の色を黒色とし、第２の色をベージュ色としたが、第１の色および第２の色をそれらの色に限定するものではなく、第１の色を例えば濃い緑色や濃紺色、あるいはこれら以外の色とすることもできる。第２の色については、この発明の目的からベージュ色とすることが好ましいが、第２の色についてもベージュ色に限定するものではなく、第１の色より濃度が淡い色であれば何色であってもよい（図３〜図１０に示すタイツも同様）。
【００５０】
タイツ１０Ａの第１染色域１５は、第１の色である黒色に予め染色された先染め糸で製編されている。第２染色部分１６は、無着色の糸で製編されている。タイツ１０Ａは、第２染色域１６を無着色の白色糸で製編した後、連続して第１染色域１５を先染め糸で製編してタイツの半製品１７を作り、図２に示すように、第２の色であるベージュ色の染料１８を入れた容器１９の中にこの半製品１７全体を浸漬することにより着色する。その際、第１の色、即ち黒色で先染めされた糸により製編された第１染色域１５は、第２の色、即ちベージュ色より濃度が濃いことからベージュ色の染料１８に浸されてもその色には染まらず、黒色のままである。このように第１の色と第２の色との濃度差が大きいと、第２の色が先染糸で製編された第１染色域１５を着色してしまうことはない。これにより、無着色の白色糸で製編された部分だけがベージュ色に着色されて第２染色域１６となる。
【００５１】
ただし、無着色の白色糸で第２染色域１６を製編した後、連続して第１染色域１５を先染め糸で製編して半製品１７を作る、と説明したが、これは本発明を分かりやすく説明するためであり、実際には、半製品１７は、以下のような従来方法により作られる。すなわち、この半製品１７を製造する方法は、従来のパンティストッキングやタイツを製造する方法とほぼ同じであるので簡単に説明すると、第２染色域１６に相当する部分を無着色の白色糸で製編し、連続して第１染色域１５に相当する部分を黒色（第１の色）に先染めされた糸により製編して筒状編地を作り、この筒状編地を２本準備し、これら筒状編地のそれぞれについて、フット部１４となる閉鎖端とは反対側の開口端の一箇所に長手方向に沿って所定長さの切り込みを入れ、次いで、この切り込みを開いた部分を縫合により連結することによってタイツ１０Ａの半製品１７が作られる。
【００５２】
第１染色域１５を製編する先染め糸には、７０〜９０デニールの太さの糸、好ましくは、７０〜８０デニールの太さの糸が用いられている。第２染色域１６を製編する無着色の糸には、２０〜４０デニールの太さの糸、好ましくは、２０〜３０デニールの太さの糸が用いられている。第１染色域１５を製編する先染め糸や第２染色域１６を製編する無着色糸としては、ポリウレタンを芯にナイロンを巻き付けたり、ナイロンの上にさらに別の糸を巻き付けた二重構造糸（コアヤーン）などを使用することができる。
【００５３】
第１実施形態に係るタイツ１０Ａにおいて、第２染色域１６を製編する糸の太さを２０〜４０デニール、好ましくは２０〜３０デニールとする理由は、第２染色域１６が第１染色域１５に比べて生地が非常に薄くなり、着用物品を着用者が着用すると、第２染色域１６において着用者の肌が透き通って見えることから、第２染色域１６がベージュ色であることと相まって一層素肌であるように見せることができるからである。また、第１染色域１５を製編する糸の太さを７０〜９０デニール、好ましくは、７０〜８０デニールとする理由は、第１染色域１５の生地が第２染色域１６に比べて厚く、第１染色域１５と第２染色域１６との濃淡の差を大きくすることができ、タイツ１０Ａを着用者が着用したときに、より一層素足にレギンスやスパッツを着用しているように見えるからである。
【００５４】
タイツ１０Ａ（着用物品）は、ウエスト部１１からレッグ部１３の第１位置１３ａまでの第１染色域１５が第１の色に着色され、レッグ部１３の第１位置１３ａよりフット部１４全体までの第２染色域１６が第２の色に着色され、第１の色の濃度が第２の色のそれよりも濃く、第２の色を肌色であるベージュ色にし、第１の色を黒色にすることにより、レッグ部１３の第１位置１３ａからフット部１４全体までを素肌が露出しているように見せることができる。タイツ１０Ａは、スパッツやレギンスを着用しているように見えることから、素肌を直接露出させたくない着用者にもスパッツやレギンス感覚で着用することができる。
【００５５】
タイツ１０Ａは、第１染色域１５が黒色に予め染色された先染め糸で製編され、第２染色域１６が無着色の糸で製編され、第２染色域１６がウエスト部１１からフット部１４まで一体に形成された後にベージュ色の染料に浸けることにより着色されるから、第２染色域１６を容易に作ることができ、タイツ１０Ａを短時間に大量に生産することができるとともに、タイツ１０Ａを廉価に生産することができる。
【００５６】
図３は、第２実施形態の一例を示すタイツ１０Ｂ（着用物品）の平面図であり、図４は、着用状態で示す図３のタイツ１０Ｂ（着用物品）の斜視図である。図３に示すタイツ１０Ｂは、請求項４に記載された第１の発明に対応する実施形態である。以下、図３，４に基づいて本発明の第２実施形態に係るタイツ１０Ｂの詳細を説明する。なお、図３に示すタイツ１０Ｂにおいて、図１に示すタイツ１０Ａを構成する部分と同一若しくは相当する部分には同一の参照符号を付けてその説明を省略する。
【００５７】
タイツ１０Ｂは、図１のそれと同様に、ウエスト部１１、パンティ部１２、レッグ部１３、フット部１４を有する。タイツ１０Ｂは、伸縮性を有し、ウエスト部１１からパンティ部１２とレッグ部１３とを介してフット部１４までが一体に製編され、着用者のウエストから下肢全域を包被する。タイツ１０Ｂは、ウエスト部１１からレッグ部１３における所定の第１位置１３ａまでの第１染色域１５と、レッグ部１３における第１位置１３ａからフット部１４までの第２染色域１６とを有する。
【００５８】
第１染色域１５は第１の色に着色され、第２染色域１６は第１の色と異なる第２の色に着色されている。第１の色と第２の色とは濃度に差があり、第１の色の濃度が第２の色のそれよりも濃い。タイツ１０Ｂでは、第１染色域１５が黒色に染色され、第２染色域１６がベージュ色に染色されている。レッグ部１３における第１染色域１５は、高デニール部分２０と、高デニール部分２０よりも細い糸で製編された低デニール部分２１とを有する。第１染色域１５では、高デニール部分２０と低デニール部分２１とがレッグ部１３の長さ方向へ交互に並んでいる。
【００５９】
タイツ１０Ｂの第１染色域１５は、第１の色である黒色に予め染色された先染め糸で製編されている。第２染色部分１６は、無着色の糸で製編されている。タイツ１０Ｂは、タイツ１０Ａと同様に、第２染色域１６を無着色の白色糸で製編した後、連続して第１染色域１５の高デニール部分２０と低デニール部分２１とを先染め糸で製編してタイツの半製品１７を作り、第２の色であるベージュ色の染料１８を入れた容器１９の中にこの半製品１７全体を浸漬することにより着色する（図２援用）。半製品１７の製造方法は、図１のタイツ１０Ａのそれと同一であるから、その説明は省略する。
【００６０】
ウエスト部１１とパンティ部１２とにおける第１染色域１５を製編する先染め糸には、７０〜９０デニールの太さの糸、好ましくは、７０〜８０デニールの太さの糸が用いられている。第２染色域１６を製編する無着色の糸には、２０〜４０デニールの太さの糸、好ましくは、２０〜３０デニールの太さの糸が用いられている。レッグ部１３における第１染色域１５の高デニール部分２０を製編する先染め糸には、７０〜９０デニールの太さの糸、好ましくは、７０〜８０デニールの太さの糸が用いられている。レッグ部１３における第１染色域１５の低デニール部分２１を製編する先染め糸には、３０〜５０デニールの太さの糸、好ましくは、３０〜４０デニールの太さの糸が用いられている。第２染色域１６を製編する糸の太さを前記範囲とする理由は、図１のタイツ１０Ａのそれと同一である。なお、レッグ部１３における第１染色域１５に高デニール部分２０と低デニール部分２１とを設けることにより、第１染色域１５に生地の厚い部分と薄い部分とが形成される。
【００６１】
このタイツ１０Ｂは、図１のそれが有する効果に加え、以下の効果を有する。タイツ１０Ｂは、レッグ部１３における第１染色域１５が高デニール部分２０と低デニール部分２１とを有するから、レッグ部１３において外見の変化を付けることができ、図４に示すように、ファッション性に富み、見端の優れたレギンスやスパッツを着用しているように見せることができる。
【００６２】
図５は、第２実施形態の他の一例を示すタイツ１０Ｃ（着用物品）の平面図であり、図６は、第２実施形態の他の一例を示すタイツ１０Ｄ（着用物品）の平面図である。図５，６に示すタイツ１０Ｃ，１０Ｄは、請求項４に記載された第１の発明に対応する実施形態である。
【００６３】
図５のタイツ１０Ｃが図３のそれと異なるところは、レッグ部１３における第１染色域１５の高デニール部分２０と低デニール部分２１とが着用者の膝より上の片方のレッグ部１３の第１染色域１５に作られている点にあり、その他の構成は図３のタイツ１０Ｂと同一である。タイツ１０Ｃにおける高デニール部分２０と低デニール部分２１とは、レッグ部１３の長さ方向へ交互に並んでいる。ウエスト部１１とパンティ部１２とにおける第１染色域１５を製編する先染め糸の太さや第２染色域１６を製編する無着色の糸の太さ、高デニール部分２０を製編する先染め糸の太さ、低デニール部分２１を製編する先染め糸の太さは、図３のタイツ１０Ｂのそれらと同一である。
【００６４】
図６のタイツ１０Ｄが図３のそれと異なるところは、レッグ部１３における第１染色域１５の高デニール部分２０と低デニール部分２１とが着用者の膝から下の第１染色域１５に作られている点、高デニール部分２０の長さ方向の幅と低デニール部分２１の長さ方向の幅とが着用者の膝から下に向かうにつれて次第に小さくなっている点にあり、その他の構成は図３のタイツ１０Ｂと同一である。タイツ１０Ｄにおける高デニール部分２０と低デニール部分２１とは、レッグ部１３の長さ方向へ交互に並んでいる。ウエスト部１１とパンティ部１２とにおける第１染色域１５を製編する先染め糸の太さや第２染色域１６を製編する無着色の糸の太さ、高デニール部分２０を製編する先染め糸の太さ、低デニール部分２１を製編する先染め糸の太さは、図３のタイツ１０Ｂのそれらと同一である。
【００６５】
図５のタイツ１０Ｃや図６のタイツ１０Ｄは、図１のそれが有する効果に加え、以下の効果を有する。タイツ１０Ｃ，１０Ｄは、レッグ部１３における第１染色域１５が高デニール部分２０と低デニール部分２１とを有するから、レッグ部１３において外見の変化を付けることができ、ファッション性に富み、見端の優れたレギンスやスパッツを着用しているように見せることができる。
【００６６】
図７は、第３実施形態の一例を示すタイツ１０Ｅ（着用物品）の平面図である。図７に示すタイツ１０Ｅは、請求項５に記載された第２の発明に対応する実施形態である。以下、図７に基づいて本発明の第３実施形態に係るタイツ１０Ｅの詳細を説明する。なお、図７に示すタイツ１０Ｅにおいて、図１に示すタイツ１０Ａを構成する部分と同一若しくは相当する部分には同一の参照符号を付けてその説明を省略する。
【００６７】
タイツ１０Ｅは、図１のそれと同様に、ウエスト部１１、パンティ部１２、レッグ部１３、フット部１４を有する。タイツ１０Ｅは、伸縮性を有し、ウエスト部１１からパンティ部１２とレッグ部１３とを介してフット部１４までが一体に製編され、着用者のウエストから下肢全域を包被する。タイツ１０Ｅは、ウエスト部１１からレッグ部１３における所定の第１位置１３ａまでの第１染色域１５と、レッグ部１３における第１位置１３ａからフット部１４までの第２染色域１６と、フット部１４に形成された第３染色域２２とを有する。
【００６８】
第１染色域１５は第１の色に着色され、第２染色域１６は第１の色と異なる第２の色に着色され、第３染色域２２は第２の色と異なる第３の色に着色されている。第１および第３の色と第２の色とは濃度に差があり、第１および第３の色の濃度が第２の色のそれよりも濃い。タイツ１０Ｅでは、第１染色域１５と第３染色域２２とが黒色に染色され、第２染色域１６がベージュ色に染色されている。第３染色域２２は、フット部１４の中央に形成され、タイツ１０Ｅの長さ方向と交差する幅方向へ延びている。なお、第１染色域１５の色と第３染色域２２の色とが同一の黒色であるが、それら域１５，２２が異なる色であってもよい。
【００６９】
タイツ１０Ｅの第１染色域１５は、第１の色である黒色に予め染色された先染め糸で製編され、第２染色部分１６は、無着色の糸で製編されている。第３染色域２２は、第３の色である黒色に予め染色された先染め糸で製編されている。タイツ１０Ｅは、第２染色域１６を無着色の白色糸で製編するとともに、第３染色域２２を先染め糸で製編した後、連続して第１染色域１５を先染め糸で製編してタイツの半製品１７を作り、第２の色であるベージュ色の染料１８を入れた容器１９の中にこの半製品１７全体を浸漬することにより着色する（図２援用）。半製品１７の製造方法は、図１のタイツ１０Ａのそれと同一であるから、その説明は省略する。
【００７０】
第１染色域１５を製編する先染め糸には、７０〜９０デニールの太さの糸、好ましくは、７０〜８０デニールの太さの糸が用いられている。第２染色域１６を製編する無着色の糸には、２０〜４０デニールの太さの糸、好ましくは、２０〜３０デニールの太さの糸が用いられている。第３染色域２２を製編する先染め糸には、５０〜９０デニールの太さの糸、好ましくは、５０〜７０デニールの太さの糸が用いられている。第２染色域１６を製編する糸の太さを前記範囲とする理由は、図１のタイツ１０Ａのそれと同一である。なお、フット部１４に第３染色域２２を設けることにより、フット部１４に第２染色域１６よりも生地の厚い部分が形成される。
【００７１】
このタイツ１０Ｅは、図１のそれが有する効果に加え、以下の効果を有する。タイツ１０Ｅは、第２の色（ベージュ色）と異なる第３の色（黒色）に着色された第３染色域２２がフット部１４に形成され、第３の色の濃度が第２の色のそれよりも濃く、第３染色域２２が第２染色域１６よりも生地が厚く形成されるから、フット部１４において履物を履いているように見せることができ、履物を履いたレギンスやスパッツを着用しているように見せることができる。
【００７２】
図８は、第３実施形態の他の一例を示すタイツ１０Ｆ（着用物品）の平面図であり、図９は、第３実施形態の他の一例を示すタイツ１０Ｇ（着用物品）の平面図である。図８，９に示すタイツ１０Ｆ，１０Ｇは、請求項５に記載された第２の発明に対応する実施形態である。
【００７３】
図８のタイツ１０Ｆが図７のそれと異なるところは、フット部１４に形成された複数の第３染色域２２がフット部１４の長さ方向へ所定の間隔で並んでいる点にあり、その他の構成は図７のタイツ１０Ｅと同一である。フット部１４では、第２染色域１６と第３染色域２２とがフット部１４の長さ方向へ交互に並んでいる。第１染色域１５を製編する先染め糸の太さや第２染色域１６を製編する無着色の糸の太さ、第３染色域２２を製編する先染め糸の太さは、図７のタイツ１０Ｅのそれらと同一である。
【００７４】
図９のタイツ１０Ｇが図７のそれと異なるところは、フット部１４に形成された複数の第３染色域２２がフット部１４の長さ方向へ所定の間隔で並んでいる点、第３染色域２２がフット部１４の長さ方向へ延びている点にあり、その他の構成は図７のタイツ１０Ｅと同一である。フット部１４では、第２染色域１６と第３染色域２２とがフット部１４の長さ方向へ交互に並ぶとともに、第３染色域２２がフット部１４の幅方向中央部において長さ方向へ直状に延びている。第１染色域１５を製編する先染め糸の太さや第２染色域１６を製編する無着色の糸の太さ、第３染色域２２を製編する先染め糸の太さは、図７のタイツ１０Ｅのそれらと同一である。
【００７５】
図８のタイツ１０Ｆや図９のタイツ１０Ｇは、図１のそれが有する効果に加え、以下の効果を有する。タイツ１０Ｆ，１０Ｇは、第２の色（ベージュ色）と異なる第３の色（黒色）に着色された第３染色域２２がフット部１４に形成され、第３の色の濃度が第２の色のそれよりも濃く、第３染色域２２が第２染色域１６よりも生地が厚く形成されるから、フット部１４において履物を履いているように見せることができ、履物を履いたレギンスやスパッツを着用しているように見せることができる。
【００７６】
図１０は、第４実施形態の一例を示すタイツ１０Ｈ（着用物品）の平面図である。図１０に示すタイツ１０Ｈは、請求項８に記載された第２の発明に対応する実施形態である。以下、図１０に基づいて本発明の第４実施形態に係るタイツ１０Ｈの詳細を説明する。なお、図１０に示すタイツ１０Ｈにおいて、図１に示すタイツ１０Ａを構成する部分と同一若しくは相当する部分には同一の参照符号を付けてその説明を省略する。
【００７７】
タイツ１０Ｈは、図１のそれと同様に、ウエスト部１１、パンティ部１２、レッグ部１３、フット部１４を有する。タイツ１０Ｈは、伸縮性を有し、ウエスト部１１からパンティ部１２とレッグ部１３とを介してフット部１４までが一体に製編され、着用者のウエストから下肢全域を包被する。タイツ１０Ｈは、ウエスト部１１からレッグ部１３における所定の第１位置１３ａまでの第１染色域１５と、レッグ部１３における第１位置１３ａからフット部１４までの第２染色域１６と、フット部１４に形成された複数の第３染色域２２とを有する。
【００７８】
第１染色域１５は第１の色に着色され、第２染色域１６は第１の色と異なる第２の色に着色され、第３染色域２２は第２の色と異なる第３の色に着色されている。第１および第３の色と第２の色とは濃度に差があり、第１および第３の色の濃度が第２の色のそれよりも濃い。タイツ１０Ｈでは、第１染色域１５と第３染色域２２とが黒色に染色され、第２染色域１６がベージュ色に染色されている。
【００７９】
レッグ部１３における第１染色域１５は、高デニール部分２０と、高デニール部分２０よりも細い糸で製編された低デニール部分２１とを有する。第１染色域１５では、高デニール部分２０と低デニール部分２１とがレッグ部１３の長さ方向へ交互に並んでいる。それら第３染色域２２は、フット部１４の長さ方向へ所定の間隔で並んでいる。フット部１４では、第２染色域１６と第３染色域２２とがフット部１４の長さ方向へ交互に並んでいる。なお、第１染色域１５の色と第３染色域２２の色とが同一の黒色であるが、それら域１５，２２が異なる色であってもよい。
【００８０】
タイツ１０Ｈの第１染色域１５は、第１の色である黒色に予め染色された先染め糸で製編され、第２染色部分１６は、無着色の糸で製編されている。第３染色域２２は、第３の色である黒色に予め染色された先染め糸で製編されている。タイツ１０Ｈは、第２染色域１６を無着色の白色糸で製編するとともに、第３染色域２２を先染め糸で製編した後、連続して第１染色域１５を先染め糸で製編してタイツの半製品１７を作り、第２の色であるベージュ色の染料１８を入れた容器１９の中にこの半製品１７全体を浸漬することにより着色する（図２援用）。半製品１７の製造方法は、図１のタイツ１０Ａのそれと同一であるから、その説明は省略する。
【００８１】
第１染色域１５を製編する先染め糸には、７０〜９０デニールの太さの糸、好ましくは、７０〜８０デニールの太さの糸が用いられている。第２染色域１６を製編する無着色の糸には、２０〜４０デニールの太さの糸、好ましくは、２０〜３０デニールの太さの糸が用いられている。第３染色域２２を製編する先染め糸には、５０〜９０デニールの太さの糸、好ましくは、５０〜７０デニールの太さの糸が用いられている。レッグ部１３における第１染色域１５の高デニール部分２０を製編する先染め糸には、７０〜９０デニールの太さの糸、好ましくは、７０〜８０デニールの太さの糸が用いられている。レッグ部１３における第１染色域１５の低デニール部分２１を製編する先染め糸には、３０〜５０デニールの太さの糸、好ましくは、３０〜４０デニールの太さの糸が用いられている。
【００８２】
第２染色域１６を製編する糸の太さを前記範囲とする理由は、図１のタイツ１０Ａのそれと同一である。なお、レッグ部１３における第１染色域１５に高デニール部分２０と低デニール部分２１とを設けることにより、第１染色域１５に生地の厚い部分と薄い部分とが形成される。フット部１４に第３染色域２２を設けることにより、フット部１４に第２染色域１６よりも生地の厚い部分が形成される。
【００８３】
このタイツ１０Ｈは、図１のそれが有する効果に加え、以下の効果を有する。タイツ１０Ｈは、レッグ部１３における第１染色域１５が高デニール部分２０と低デニール部分２１とを有するから、レッグ部１３において外見の変化を付けることができ（図４援用）、ファッション性に富み、見端の優れたレギンスやスパッツを着用しているように見せることができる。また、第２の色（ベージュ色）と異なる第３の色（黒色）に着色された第３染色域２２がフット部１４に形成され、第３の色の濃度が第２の色のそれよりも濃く、第３染色域２２が第２染色域１６よりも生地が厚く形成されるから、フット部１４において履物を履いているように見せることができ、履物を履いたレギンスやスパッツを着用しているように見せることができる。
【００８４】
図１１は、第５実施形態の一例を示すタイツ１０Ｉ（着用物品）の平面図である。図１１に示すタイツ１０Ｉは、請求項９に記載された第３の発明に対応する実施形態である。以下、図１１に基づいて本発明の第５実施形態に係るタイツ１０Ｉの詳細を説明する。タイツ１０Ｉは、ウエスト部１１、パンティ部１２、レッグ部１３、フット部１４を有する。タイツ１０Ｉは、伸縮性を有し、ウエスト部１１からパンティ部１２とレッグ部１３とを介してフット部１４までが一体に製編され、着用者のウエストから下肢全域を包被する。
【００８５】
タイツ１０Ｉは、レッグ部１３の所定の第２位置１３ｂからフット部１４までの第４染色域２３と、ウエスト部１１からレッグ部１３の第２位置１３ｂまでの第５染色域２４とを有する。第５実施形態に係るタイツ１０Ｉの第２位置１３ｂは、パンティ部１２より着用者の膝側であって、膝より１０〜１５ｃｍ上、即ちパンティ部１２寄りに位置している。なお、第２位置１３ｂが第５実施形態によって限定されるものではなく、第２位置１３ｂが少なくとも着用者の膝から股下までの間に位置すればよい。
【００８６】
第４染色域２３は第１の色に着色され、第５染色域２４は第１の色と異なる第２の色に着色されている。第１の色と第２の色とは濃度に差があり、第１の色の濃度が第２の色のそれよりも濃い。第５実施形態に係るタイツ１０Ｉでは、第４染色域２３が黒色に染色され、第５染色域２４がベージュ色即ち肌色に染色されている。この濃度差は、大きければ大きいほど好ましい。第５実施形態では、第１の色を黒色とし、第２の色をベージュ色としたが、第１の色および第２の色をそれらの色に限定するものではなく、第１の色を例えば濃い緑色や濃紺色、あるいはこれら以外の色とすることもできる。第２の色については、この発明の目的からベージュ色とすることが好ましいが、第２の色についてもベージュ色に限定するものではなく、第１の色より濃度が淡い色であれば何色であってもよい。
【００８７】
タイツ１０Ｉの第４染色域２３は、第１の色である黒色に予め染色された先染め糸で製編されている。第５染色域２４は、無着色の糸で製編されている。タイツ１０Ｉは、先染め糸で第４染色域２３を製編した後、連続して第５染色域２４を無着色の白色糸で製編して作られる。実際には、第１実施形態に係るタイツ１０Ａと同様に、第４染色域２３に相当する部分を先染め糸で製編した後、第５染色域２４を無着色の糸で製編して筒状編地を作り、２本の筒状編地を連結してタイツの半製品１７を作る。次いで、第１実施形態で第２染色域１６をベージュ色に着色する方法と同一方法により、第２の色であるベージュ色の染料１８を入れた容器１９の中にこの半製品１７全体を浸漬することによって第５染色域２４を着色する。その際、第１の色（黒色）で先染めされた糸により製編された第４染色域２３は、第２の色（ベージュ色）よりも濃度が濃いことからベージュ色の染料１８に浸されてもその色には染まらず、黒色のままである。このように第１の色と第２の色との濃度差が大きいと、第２の色が先染糸で製編された第４染色域２３を着色してしまうことはない。これにより、無着色の白色糸で製編された部分だけがベージュ色に着色されて第５染色域２４となる。
【００８８】
第４染色域２３を製編する先染め糸には、７０〜９０デニールの太さの糸、好ましくは、７０〜８０デニールの太さの糸が用いられている。第５染色域２４を製編する無着色の糸には、２０〜５０デニールの太さの糸、好ましくは、２０〜３０デニールの太さの糸が用いられている。第４染色域２３を製編する先染め糸や第５染色域２４を製編する無着色糸としては、ポリウレタンを芯にナイロンを巻き付けたり、ナイロンの上にさらに別の糸を巻き付けた二重構造糸（コアヤーン）などを使用することができる。
【００８９】
第５実施形態に係るタイツ１０Ｉにおいて、第５染色域２４を製編する糸の太さを２０〜５０デニール、好ましくは２０〜３０デニールとする理由は、第５染色域２４が第４染色域２３に比べて生地が非常に薄くなり、タイツ１０Ｉを着用者が着用すると、第５染色域２４において着用者の肌が透き通って見え、第５染色域２４をベージュ色のような淡い色にすることにより、タイツ１０Ｉを着用しているにもかかわらず、素足にオーバーニーレングスソックスやハイソックスを着用しているように見せることができるからである。また、第４染色域２３を製編する先染め糸の太さを７０〜９０デニール、好ましくは、７０〜８０デニールとする理由は、第４染色域２３の生地が第５染色域２４に比べて厚く、第４染色域２３と第５染色域２４との濃淡の差を大きくすることができ、タイツ１０Ｉを着用者が着用したときに、より一層素足にオーバーニーレングスソックスやハイソックスを着用しているように見せることができるからである。
【００９０】
さらに、タイツ１０Ｉでは、第５染色域２４におけるパンティ部１２が４０〜５０デニールの太さの糸で製編され、パンティ部１２を除く第２位置１３ｂまでの第５染色域２４がパンティ部１２を製編している糸の太さより細い２０〜３９デニールの太さの糸によって製編されている。第５染色域２４における糸のデニールをこのようにすることにより、着用者の腰部分やヒップ部分が他の部分よりも強めに締め付けられ、着用感が非常に高くなり、タイツ１０Ｉの不用意なずれ下がりを防ぐことができるとともに、着用者の腰部分やヒップ部分の冷えを防止することができる。
【００９１】
タイツ１０Ｉ（着用物品）は、レッグ部１３における所定の第２位置１３ｂよりフット部１４までの第４染色域２３が第１の色に着色され、レッグ部１３の第２位置１３ｂよりウエスト部１１までの第５染色域２４が第２の色に着色され、第１の色の濃度が第２の色のそれより濃く、第２の色を肌色であるベージュ色にし、第１の色を黒色にすることにより、レッグ部１３の第２位置１３ｂよりウエスト部１１までにおいて素肌が露出しているように見せることができる。タイツ１０Ｉは、素肌を直接露出させることなくあたかも素足にオーバーニーレングスソックスやハイソックスを着用しているかのように見せることができることから、素肌を直接露出させたくない着用者にもオーバーニーレングスソックスやハイソックスなどを軽装感覚で着用することができる。
【００９２】
タイツ１０Ｉは、第４染色域２３が黒色に予め染色された先染め糸で製編され、第５染色域２４が無着色の糸で製編され、第５染色域２４がウエスト部１１からフット部１４まで一体に形成された後にベージュ色の染料に浸けることにより着色されるから、第５染色域２４を容易に作ることができ、タイツ１０Ｉを短時間に大量に生産することができるとともに、タイツ１０Ｉを廉価に生産することができる。
【００９３】
図１２は、第６実施形態の一例を示すタイツ１０Ｊ（着用物品）の平面図である。図１２に示すタイツ１０Ｊは、請求項１３に記載された第４の発明に対応する実施形態である。以下、図１２に基づいて本発明の第６実施形態に係るタイツ１０Ｊの詳細を説明する。タイツ１０Ｊは、ウエスト部１１、パンティ部１２、レッグ部１３、フット部１４を有する。タイツ１０Ｊは、伸縮性を有し、ウエスト部１１からパンティ部１２とレッグ部１３とを介してフット部１４までが一体に製編され、着用者のウエストから下肢全域を包被する。
【００９４】
タイツ１０Ｊは、フット部１４からレッグ部１３の所定の第１位置１３ａまでの第６染色域２５と、ウエスト部１１からレッグ部１３の所定の第２位置１３ｂまでの第７染色域２６と、レッグ部１３の第１位置１３ａから第２位置１３ｂまでの間の第８染色域２７とを有する。第６実施形態に係るタイツ１０Ｊの第１位置１３ａは、フット部１４より僅かに膝側に位置し、ふくらはぎより下、即ちフット部１４寄りに位置している。なお、第１位置１３ａが第６実施形態によって限定されるものではなく、第１位置１３ａが少なくとも着用者の膝からくるぶしまでの間に位置すればよい。第６実施形態に係るタイツ１０Ｊの第２位置１３ｂは、パンティ部１２より着用者の膝側であって、膝より１０〜１５ｃｍ上、即ちパンティ部１２寄りに位置している。なお、第２位置１３ｂが第６実施形態によって限定されるものではなく、第２位置１３ｂが少なくとも着用者の膝から股下までの間に位置すればよい。
【００９５】
第８染色域２７は第１の色に着色され、第６染色域２５および第７染色域２６は第１の色と異なる第２の色に着色されている。第１の色と第２の色とは濃度に差があり、第１の色の濃度が第２の色のそれよりも濃い。第６実施形態に係るタイツ１０Ｊでは、第８染色域２７が黒色に染色され、第６染色域２５および第７染色域２６がベージュ色即ち肌色に染色されている。この濃度差は、大きければ大きい程好ましい。第６実施形態では、第１の色を黒色とし、第２の色をベージュ色としたが、第１の色および第２の色をそれらの色に限定するものではなく、第１の色を例えば濃い緑色や濃紺色、あるいはこれら以外の色とすることもできる。第２の色については、この発明の目的からベージュ色とすることが好ましいが、第２の色についてもベージュ色に限定するものではなく、第１の色より濃度が淡い色であれば何色であってもよい。
【００９６】
タイツ１０Ｊの第８染色域２７は、第１の色である黒色に予め染色された先染め糸で製編されている。第６染色域２５および第７染色域２６は、無着色の糸で製編されている。タイツ１０Ｊは、第６染色域２５に相当する部分を無着色の白色糸で製編し、連続して第８染色域２７に相当する部分を先染め糸で製編した後、さらに連続して第７染色域２６に相当する部分を無着色の白色糸で製編して筒状編地を作り、２本の筒状編地を連結してタイツの半製品１７を作り、第２の色であるベージュ色の染料１８を入れた容器１９の中にこの半製品１７全体を浸漬することにより着色する（図２援用）。その際、第１の色（黒色）で先染めされた糸により製編された第８染色域２７は、第２の色（ベージュ色）よりも濃度が濃いことからベージュ色の染料１８に浸されてもその色には染まらず、黒色のままである。このように第１の色と第２の色との濃度差が大きいと、第２の色が先染糸で製編された第８染色域２７を着色してしまうことはない。これにより、無着色の白色糸で製編された部分だけがベージュ色に着色されて第６染色域２５および第７染色域２６となる。
【００９７】
第８染色域２７を製編する先染め糸には、７０〜９０デニールの太さの糸、好ましくは、７０〜８０デニールの太さの糸が用いられている。第６染色域２５および第７染色域２６を製編する無着色の糸には、２０〜４０デニールの太さの糸、好ましくは、２０〜３０デニールの太さの糸が用いられている。第８染色域２７を製編する先染め糸や第６染色域２５および第７染色域２６を製編する無着色糸としては、ポリウレタンを芯にナイロンを巻き付けたり、ナイロンの上にさらに別の糸を巻き付けた二重構造糸（コアヤーン）などを使用することができる。
【００９８】
第６実施形態に係るタイツ１０Ｊにおいて、第６染色域２５および第７染色域２６を製編する糸の太さを２０〜４０デニール、好ましくは２０〜３０デニールとする理由は、第６染色域２５および第７染色域２６が第８染色域２７に比べて生地が非常に薄くなり、タイツ１０Ｊを着用者が着用すると、第６染色域２５および第７染色域２６において着用者の肌が透き通って見え、第６染色域２５および第７染色域２６をベージュ色のような淡い色にすることにより、タイツ１０Ｉを着用しているにもかかわらず、レッグウォーマーを着用しているように見せることができるからである。
【００９９】
また、第８染色域２７を製編する先染め糸の太さを７０〜９０デニール、好ましくは、７０〜８０デニールとする理由は、第８染色域２７の生地が第６染色域２５および第７染色域２６に比べて厚く、第８染色域２７と第６染色域２５および第７染色域２６との濃淡の差を大きくすることができ、タイツ１０Ｉを着用者が着用したときに、より一層レッグウォーマーを着用しているように見せることができるからである。
【０１００】
さらに、タイツ１０Ｊでは、第７染色域２６におけるパンティ部１２が４０〜５０デニールの太さの糸で製編され、パンティ部１２を除く第２位置１３ｂまでの第７染色域２６がパンティ部１２を製編している糸の太さより細い２０〜３９デニールの太さの糸によって製編されている。第７染色域２６における糸のデニールをこのようにすることにより、着用者の腰部分やヒップ部分が他の部分よりも強めに締め付けられ、着用感が非常に高くなり、タイツ１０Ｊの不用意なずれ下がりを防ぐことができるとともに、着用者の腰部分やヒップ部分の冷えを防止することができる。
【０１０１】
タイツ１０Ｊ（着用物品）は、フット部１４からレッグ部１３の所定の第１位置１３ａまでの第６染色域２５が第２の色に着色され、ウエスト部１１からレッグ部１３の所定の第２位置１３ｂまでの第７染色域２６が第２の色に着色されているとともに、レッグ部１３の第１位置１３ａから第２位置１３ｂまでの間の第８染色域２７が第１の色に着色され、第１の色の濃度が第２の色のそれより濃く、第２の色を肌色であるベージュ色にし、第１の色を黒色にすることにより、フット部１４からレッグ部１３の所定の第１位置１３ａまでとウエスト部１１からレッグ部１３の所定の第２位置１３ｂまでとにおいて素肌が露出しているように見せることができる。タイツ１０Ｊは、素肌を直接露出させることなくあたかも素足にレッグウォーマーを着用しているかのように見せることができることから、素肌を直接露出させたくない着用者にもレッグウォーマーなどを軽装感覚で着用することができる。
【０１０２】
タイツ１０Ｊは、第８染色域２７が黒色に予め染色された先染め糸で製編され、第６染色域２５および第７染色域２６が無着色の糸で製編され、第６染色域２５および第７染色域２６がウエスト部１１からフット部１４まで一体に形成された後にベージュ色の染料に浸けることにより着色されるから、第６染色域２５および第７染色域２６を容易に作ることができ、タイツ１０Ｊを短時間に大量に生産することができるとともに、タイツ１０Ｊを廉価に生産することができる。
【符号の説明】
【０１０３】
１０Ａ    タイツ（着用物品）
１０Ｂ    タイツ（着用物品）
１０Ｃ    タイツ（着用物品）
１０Ｄ    タイツ（着用物品）
１０Ｅ    タイツ（着用物品）
１０Ｆ    タイツ（着用物品）
１０Ｇ    タイツ（着用物品）
１０Ｈ    タイツ（着用物品）
１０Ｉ    タイツ（着用物品）
１０Ｊ    タイツ（着用物品）
１１    ウエスト部
１２    パンティ部
１３    レッグ部
１３ａ  第１位置
１３ｂ  第２位置
１４    フット部
１５    第１染色域
１６    第２染色域
１７    タイツの半製品
１８    ベージュ色（第２の色）の染料
２０    高デニール部分
２１    低デニール部分
２２    第３染色域
２３    第４染色域
２４    第５染色域
２６    第６染色域
２７    第７染色域
２８    第８染色域
【図１】
2011157677.tif 000003
【図２】
2011157677.tif 000004
【図３】
2011157677.tif 000005
【図４】
2011157677.tif 000006
【図５】
2011157677.tif 000007
【図６】
2011157677.tif 000008
【図７】
2011157677.tif 000009
【図８】
2011157677.tif 000010
【図９】
2011157677.tif 000011
【図１０】
2011157677.tif 000012
【図１１】
2011157677.tif 000013
【図１２】
2011157677.tif 000014